(57)【要約】      （修正有）【課題】浮屋根外周部のポンツーン上に溜まる雨水を、屋根板中央部へ導いてセンタールーフドレンから排出し、また、地震や強風等で浮屋根がスロッシング現象などで揺動して、万一貯蔵液がポンツーンの上部へ浸入した時には、この浸入液が屋根板上部全体に拡がるのを防止する浮屋根の排液構造を提供する。【解決手段】浮屋根5のポンツーン7上部内側にエアーフォーム泡消火剤を堰き止める垂直な堰板12を設け、該堰板12の下端内側より屋根板6上面に至る配管を設け、該配管の途中に地震を検知して作動する自立機械式の緊急遮断弁を設ける。【選択図】図１
2005239243.tif 000002
【特許請求の範囲】
【請求項１】
円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管の途中に地震を検知して作動する自立機械式の緊急遮断弁を設けることを特徴とする浮屋根のポンツーン上部の排液構造。
【請求項２】
円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管は分岐させ、雨水は浮屋根上部中心方向へ排出する雨水配管と、貯蔵油は下方の貯槽内部へ排出する貯液配管とで形成し、上記配管の分岐部に地震を検知して作動する自立機械式の緊急切替弁を設けることを特徴とする浮屋根のポンツーン上部の排液構造。
【発明の詳細な説明】
【技術分野】
【０００１】
この発明は、浮屋根タンクの浮屋根の外周部のポンツーン上部の堰板より外周側に雨水が溜まろうとした際に、雨水を浮屋根中央部へ導いて屋根板中心部のセンタールーフドレンから貯槽外部へ排出し、また地震や強風等で浮屋根が揺動しスロッシングなどして、万一貯蔵液がポンツーンの上部へ浸入した時に、この浸入液を堰板より外周側に留まるように遮断することにより、貯蔵液の屋根板上部全体への拡がりを防止するものである。
つまり通常時は雨水の排水性を良くし、地震などの際には浸入液が屋根板上面全体に拡がるのを遮断して災害の発生防止を行うようにした浮屋根のポンツーン上部の排液構造に関するものである。
【背景技術】
【０００２】
従来の浮屋根タンクの浮屋根の消火剤のデフレクター構造の技術には、実公平３−２７６４９号（特許文献１参照）の考案がある。
この発明の「浮屋根式油槽におけるエアーフォーム消火剤のデフレクター」は、浮屋根式貯槽の消火設備として設置するエアーフォーム消火剤のデフレクターの構造改良に関するものである。
【０００３】
また、浮屋根タンクのポンツーンの上部に円周方向リング状に立設した泡消火剤の堰板に関する従来構造の発明には、実公昭６３−２３３５１号（特許文献２参照）「浮屋根式貯槽」がある。
【０００４】
上記特許文献１及び特許文献２、並びに従来技術の図６及び図７に示して紹介する浮屋根タンクは、万一火災が発生した際に、エアーフォーム消火剤のデフレクター１１からの泡消火剤を、浮屋根５の外周ポンツーン７上部で堰き止めて、ポンツーン７の上部で発生するリング状火災を初期段階で効率良く消火するための堰板１２を円周方向リング状に設けている。
この堰板１２の下端部には、降雨の際に浮屋根５のポンツーン７上部の雨水を屋根板６の中央部へ排出するための雨水排出口１１３が、円周方向に隔離して複数個所に設けられている。
この排出された雨水は屋根板６の中心部に集められ、センタールーフドレン１０からタンク外部へと排出されている。  
【０００５】
【特許文献１】実公平３−２７６４９号
【特許文献２】実公昭６３−２３３５１号
【発明の開示】
【発明が解決しようとする課題】
【０００６】
上記特許文献１の「浮屋根式油槽におけるエアーフォーム消火剤のデフレクター」は、浮屋根式貯槽の消火設備として設置するエアーフォーム消火剤のデフレクターの構造改良（第２図に示されている）に関するもので、地震などで貯蔵液が揺動しスロッシング現象で浮屋根が大きく揺動してエアーフォームチャンバーに当接して損傷などしないようにしたもの（第３図，第４図に示されている）である。
【０００７】
また、上記特許文献２の「浮屋根式貯槽」は、地震などの際に、ローディングラダーがポンツーン上部の泡消火剤の堰板（Ｆｉｇ２に示されている）に当接して、堰板が損傷しないようにしたもの（Ｆｉｇ３〜Ｆｉｇ９に示されている）である。
【０００８】
上記特許文献１及び２に示す構造、並びに従来例の図６及び図７に示す構造の堰板１２の下端部に隔離して設ける雨水排出口１１３は、泡消火剤は通り難いが雨水は容易に排水することができる。しかしながら、地震などのスロッシング現象で側板とポンツーン７との間のシール部から貯蔵液が跳ね上がってポンツーン７の上部へ浸入して溜まった場合、雨水排出口１１３を通って貯蔵液を屋根板６の上部中央へと排出し拡散させ、さらに大量に滞留させることによって、浮屋根５の浮力を減少させ沈下を生じ、浮屋根５を貯蔵液中に沈没させる心配があった。
【０００９】
そして、万一火災が発生した場合には、ポンツーン７上部周囲の部分的なリング状火災から、浮屋根５上部全体に拡がった貯蔵液に引火し、浮屋根５の全面火災へと拡大して大災害へ発展する恐れが生じた。
【００１０】
この発明の目的は、上述の従来技術が有する問題点に鑑みてなされたもので、浮屋根外周部のポンツーン上に溜まる雨水を、通常時は屋根板中央部へ導いてセンタールーフドレンから排出し、また、地震や強風等で浮屋根がスロッシング現象などで揺動して、万一貯蔵液がポンツーンの上部へ浸入した時には、この浸入液が屋根板上部全体に拡がるのを防止するものである。
つまり通常時は雨水の排水性を良くし、地震などの際には浸入液が屋根板上面へ拡がるのを防止するようにした浮屋根の排液構造に関するものである。
そして、万一の火災発生時に、周囲の部分的なリング火災から屋根全体の全面火災への拡大を防止するように、機能性、かつ簡単で安全性に優れた浮屋根のポンツーン上部の排液構造を提供するものである。
【課題を解決するための手段】
【００１１】
請求項１の発明に係る浮屋根のポンツーン上部の排水構造は、円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管の途中に地震を検知して作動する自立機械式の緊急遮断弁を設けるものである。
【００１２】
また、請求項２の発明に係る浮屋根のポンツーン上部の排液構造は、円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管は分岐させ、雨水は浮屋根上部中心方向へ排出する雨水配管と、貯蔵油は下方の貯槽内部へ排出する貯液配管とで形成し、上記配管の分岐部に地震を検知して作動する自立機械式の緊急切替弁を設けるものである。
【発明の効果】
【００１３】
請求項１の発明に係る浮屋根のポンツーン上部の排液構造は、円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管の途中に地震を検知して作動する自立機械式の緊急遮断弁を設けるので、通常時には降雨時の雨水を浮屋根上中央部へ集めてセンタールーフドレンから貯槽外部へ排出することができ、地震発生の緊急時には地震の揺れを検知して緊急遮断弁が作動し、地震などで万一貯蔵液がポンツーン上部へ浸入して滞留した場合に、この貯蔵液が屋根板中央へ拡がるのを遮断するため、大きな災害に進展するのを防止することができる。
そして、貯蔵液は浮屋根上部へ拡がっていかないので、万一火災が発生した場合でも、シール部近傍の部分的なリング火災にとどまるため、初期消火が可能となり、浮屋根全体の全面火災になるのを防止することができる。
【００１４】
また、請求項２の発明に係る浮屋根のポンツーン上部の排液構造は、円形平板状の屋根板と、該屋根板の外周に形成した箱形環状のポンツーンとからなる浮屋根を備え、該浮屋根の屋根板中心部にセンタールーフドレンを設け、かつ側板上端部外周にエアーフォーム消火剤のデフレクターを設けた浮屋根タンクであって、上記浮屋根のポンツーン上部内側にエアーフォーム泡消火剤を堰き止める垂直な堰板を設け、該堰板の下端内側より屋根板上面に至る配管を設け、該配管は分岐させ、雨水は浮屋根上部中心方向へ排出する雨水配管と、貯蔵油は下方の貯槽内部へ排出する貯液配管とで形成し、上記配管の分岐部に地震を検知して作動する自立機械式の緊急切替弁を設けるので、地震発生の緊急時には地震の揺れを検知して緊急切替弁が作動するため、地震などで万一貯蔵液がポンツーン上部へ浸入して滞留した場合に、この貯蔵液が屋根板中央へ拡がるのを防止し、貯蔵液は貯内部へ戻り浮屋根の浮力が低下し沈没するなどの大きな災害に進展するのを防止することができる。
そして、浮屋根上部へ貯蔵液が拡がることなく貯槽内へ戻るので、万一火災が発生した場合でも、シール部近傍の部分的なリング火災にとどまるため、初期消火が容易となり、浮屋根全体の全面火災になるのを防止することができる。
このように、地震に対応し雨水と貯蔵液を確実に区分けし切替えてそれぞれ排出することができるため、機能性と安全性をより一層向上させた排液構造となる。
【発明を実施するための最良の形態】
【００１５】
この発明に係る浮屋根タンクのポンツーン上部の排液構造の実施の形態について、図１乃至図５を参照して説明する。
図１は浮屋根タンクの全体構造を示す側面説明図、図２はポンツーン上部の排液構造の第１の実施形態例を示す断面説明図、図３はその変化例を示す断面説明図、図４は第２の実施形態例を示す断面説明図、図５はその変化例を示す断面説明図である。
【００１６】
図１に示すように、原油その他の揮発性・可燃性液体を貯蔵する大型の浮屋根タンク本体１は、円形平板の底板２と円筒体形状の側板３と、この側板３内部の貯蔵液４の液面上に浮べた浮蓋状の浮屋根５とから形成されている。
浮屋根５は、貯蔵液体４の蒸発を抑制するととともに、貯蔵液体４への雨水や異物の混入を防止するように形成され、側板３の上端外周部に、エアーフォーム消火剤のデフレクター１１が設けられている。
この浮屋根５は、薄板鋼板の屋根板６と、この屋根板６の外周部の環状の外周ポンツーン７とから形成され、この外周ポンツーン７と側板３内面との間隙を気密に保持するシール装置８と、その上部に雨よけ板９が設けられている。
【００１７】
また、浮屋根５の屋根板６の中心下部にはセンタールーフドレン１０が設けられ、浮屋根５の上に降る雨水を集めて貯槽１の外部へ排出するように形成されている。
そして、上記浮屋根５の外周に形成した箱形環状のポンツーン７上部内側位置に、エアーフォーム消火剤のデフレクター１１から送出される泡消火剤を、ポンツーン７上部に堰き止めるための垂直な堰板１２を円周方向リング状に設けている。
【００１８】
この発明に係る浮屋根タンクのポンツーン７上部の排液構造１３は、上記堰板１２より外周側に降る雨を集めて、堰板１２より内側の屋根板６上部へと雨水を導出し、貯蔵液は流通を遮断するものであって、必要に応じて円周方向に沿う複数個所に隔離して設ける。
【００１９】
図１、及び図２に第１の実施形態例を拡大して示すように、堰板１２の下端部に雨水排出口などの開口部を設けることなく、堰板１２より外周側位置に複数箇所に隔離して排水ピット１４を設け、この排水ピット１４からポンツーン７内部を通って屋根板６上面へと至る配管１５を設け、この配管１５の途中に設けた緊急遮断弁１６と、地震の揺れを検知する地震検知器１６Ａを設ける。
この緊急遮断弁１６は、通常の雨水排出時には開放状態とし、地震時に地震検知器１６Ａが作動して貯蔵液がポンツーン７上部へ浸入することがないように遮断閉塞する。
１７はマンホールで、図示のポンツーン７上部に設けたマンホールとともに、緊急遮断弁１６及び地震検知器１６Ａを取付けるとき、或いは点検などするときに使用する。
【００２０】
図３は、上記第１の実施形態例の変化例であって、堰板１２の下端部に複数箇所に隔離して排液口１４Ａを設け、この排液口１４Ａからポンツーン７外部内壁面に沿って屋根板６上面へと至る配管１５と、この配管１５の途中に設けた緊急遮断弁１６と、地震の揺れを検知する地震検知器１６Ａを設ける。
この緊急遮断弁１６は、通常の雨水排出時には開放状態とし、地震時に地震検知器１６Ａが作動して貯蔵液がポンツーン７上部へ浸入することがないように遮断閉塞する。
この変化例では、緊急遮断弁１６及び地震検知器１６Ａを取付けるとき、或いは点検などするときは、ポンツーン７の外部で作業性良く行うことができる。
【００２１】
このように排液構造１３を設けたので、通常時には堰板１２より外周側の雨水を屋根板６上の中央部へ集めてセンタールーフドレン１０から貯槽外部へ排出することができ、また、地震などのスロッシングによってポンツーン７上部へ浸入した貯蔵液は、緊急遮断弁１６によって、屋根板６上部全体へ拡がるのを防止することができる。
そして、万一の火災発生時にも、貯蔵液の油分が浮屋根６上部へ拡がっていないため、部分的なリング火災にとどめるため初期消火が可能となり、浮屋根５全体の全面火災になることを防止することができる。
【００２２】
図４は第２の実施形態例を示し、排液構造１３は、堰板１２の下端部に雨水排出口などの開口部は設けず、堰板１２より外周側位置に複数箇所に隔離して排水ピット１４を設け、この排水ピット１４からポンツーン７内部を通って屋根板６上面へと至る配管１５を設け、この配管１５を分岐させて、雨水は屋根板６の上部中心方向へ排出する雨水配管１５Ａと、貯蔵油はポンツーン７より下方の貯槽内部へ排出する貯液配管１５Ｂを設け、この分岐部に緊急切替弁１８と、地震の揺れを検知する地震検知器１８Ａを設ける。
この緊急切替弁１８は、通常の雨水排出時には雨水配管１５Ａ方向に開放状態とし、地震時には地震検知器１８Ａが作動して貯蔵液がポンツーン７上部へ浸入することがないように、貯液配管１５Ｂ方向に解放状態とする。
１７はマンホールで、図示のポンツーン７上部に設けたマンホールとともに、緊急切替弁１８及び地震検知器１８Ａを取付けるとき、或いは点検などするときに使用する。
なお、貯液配管１５Ｂの先端近傍には、地震時のスロッシングによる貯蔵液の揺動で、貯蔵液やガスがポンツーン７の上部へ逆流しないように逆止弁などを設けておく。
【００２３】
図５は、上記第２の実施形態例の変化例であって、堰板１２の下端部に排液口１４Ｂを設け、この排液口１４Ｂからポンツーン７外部内壁面に沿って屋根板６上面へと至る配管１５を設け、この配管１５から分岐させて、雨水は屋根板６の上部中心方向へ排出する雨水配管１５Ａと、貯蔵油は屋根板６より下方の貯液内部へ排出する貯液配管１５Ｂを設け、この分岐部に緊急切替弁１８と、地震の揺れを検知する地震検知器１８Ｂを設ける。
この緊急切替弁１８は、通常の雨水排出時には雨水配管１５Ａ方向に開放状態とし、地震時には地震検知器１８Bが作動して貯蔵液がポンツーン７上部へ浸入することがないように、貯液配管１５Ｂ方向に解放状態とする。
なお、貯液配管１５Ｂの先端近傍には、地震時のスロッシングによる貯蔵液の揺動で、貯蔵液やガスがポンツーン７の上部へ逆流しないように逆止弁などを設けておく。
この変化例では、緊急切替弁１８及び地震検知器１８Ｂを取付けるとき、或いは点検などするときは、ポンツーン７の外部の屋根板６上で作業性良く行うことができる。
【００２４】
このように、雨水と貯蔵液を区分し通過を選択する緊急切替弁１８を設けたので、雨水と貯蔵液を確実に区分け切替えて排出することができる。
そして、地震などの万一の場合に、浮屋根５のポンツーン７上部に浸入した貯蔵液は、緊急切替弁１８及び貯液配管１５Ｂによって貯蔵液中に排出し戻されるので、浮屋根５の浮力低下をきたすことがなく沈没という不測の事態を防止することができ、浮力性能を保持する屋根として一層の安全性を向上することができる。
【００２５】
上記緊急遮断弁１６及び緊急切替弁１８は、電気や油圧や空圧などの外部動力設備、長距離を経由する外部操作設備などを必要とすることのない、付随するバネや磁石や炭酸ボンベなどを使用した自立機械式の駆動機構を用いる。
このように、自立機械式の駆動機構とするので、電気やガスによる発火や発熱など火災発生原因となる恐れがなく、作動性良く確実で安全性に優れたものとなる。
また、地震の揺れを検知する地震検知器１６Ａ，１８Ａは、振子型、重錘型、バネ型、或いは落球型などの機械式センサを使用する。
このように、機械式のセンサを使用することにより、電気などによる火災発生の心配もなく、地震災害に対する機能性と安全性をより向上させることができる。
【００２６】
なお、図１〜図５の浮屋根はシングルデッキ型を示しているが、ダブルデッキ型の浮屋根の外周ポンツーンにおいても、雨水配管からセンタールーフドレンへと雨水を導き、上記のように地震など緊急時に貯蔵液が浸入した場合には、この貯蔵液が浮屋根上面全体に拡がらないように遮断、区分けする排液構造を採用することができる。
【産業上の利用可能性】
【００２７】
浮屋根のポンツーン上部の排液構造は、新設の浮屋根、又は既設の浮屋根に設け、通常時は雨水の排水性を良くし、地震などで貯蔵液が浸入した際には屋根板上部へ貯蔵液が拡がるのを防止して、安全性に優れた浮屋根タンクとすることができる。
【図面の簡単な説明】
【００２８】
【図１】この発明に係る浮屋根のポンツーン上部の排液構造を示す浮屋根タンク全体の側断面説明図である。
【図２】浮屋根のポンツーン上部の排液構造の第１の実施形態例を示す断面説明図である。
【図３】第１の実施形態例の変化例を示す断面説明図である。
【図４】浮屋根のポンツーン上部の排液構造の第２の実施形態例を示す断面説明図である。
【図５】第２の実施形態例の変化例を示す断面説明図である。
【図６】従来例の浮屋根のポンツーン上部の排液構造を示す説明図である。
【図７】図６の堰板の近傍を示す斜視説明図である。
【符号の説明】
【００２９】
１  浮屋根タンク本体
２  底板
３  側板
４  貯蔵液
５  浮屋根
６  屋根板
７  ポンツーン
８  シール装置
９  雨よけ板
１０  センタールーフドレン
１１  エアーフォーム消火剤のデフレクター
１２  堰板
１３  排液構造
１４  排液ピット
１４Ａ  排液口
１５  配管
１５Ａ  雨水配管
１５Ｂ  貯液配管
１６  緊急遮断弁
１６Ａ  地震検知器
１７  マンホール
１８  緊急切替弁
１８Ａ  地震検知器
１１３  雨水排出口
【図１】
2005239243.tif 000003
【図２】
2005239243.tif 000004
【図３】
2005239243.tif 000005
【図４】
2005239243.tif 000006
【図５】
2005239243.tif 000007
【図６】
2005239243.tif 000008
【図７】
2005239243.tif 000009